(57)【特許請求の範囲】
【請求項１】
一定の間隔を開けて建てられた支柱間へ取り付けて設置された遮音壁用パネルの落下防止用ワイヤロープを通して支持させる落下防止金具であって、
落下防止金具は、並立する複数の支持壁と、前記支持壁を繋ぐ着座壁とで形成され、
前記複数の支持壁にはそれぞれ、ワイヤロープ通し孔から着座壁側に向かってワイヤロープ通し溝が形成され、前記ワイヤロープ通し溝は着座壁側に向かって開口されていると共に、複数の支持壁のワイヤロープ通し溝は互い違いに異なる反対方向の向きに形成されており、
前記着座壁が、ボルトで遮音壁用パネルへ取り付けられる構成であることを特徴とする、遮音壁用パネルの落下防止用ワイヤロープの落下防止金具。
【請求項２】
並立する支持壁のワイヤロープ通し孔を着座壁側に向かって開口させるワイヤロープ通し溝は、一側の溝辺がワイヤロープ通し孔の接線方向に着座壁まで形成され、他側の溝辺は着座壁との間に落下防止用ワイヤロープの外径よりも少し大きい幅寸の出入り口を形成するべく切除されていることを特徴とする、請求項１に形成した遮音壁用パネルの落下防止用ワイヤロープの落下防止金具。
【請求項３】
落下防止金具は鋼板のプレス加工品であることを特徴とする、請求項１又は２に記載した遮音壁用パネルの落下防止用ワイヤロープの落下防止金具。
【請求項４】
一定の間隔を開けて建てられた支柱間へ取り付けて設置された遮音壁用パネルに、請求項１〜３に記載した落下防止金具が、一つの遮音壁用パネルに少なくとも１個の割合で、それぞれボルト止めにより取り付けられ、上下・左右方向に連絡する配置の各落下防止金具を順に縫うように各々のワイヤロープ通し孔へ落下防止用ワイヤロープが通されていることを特徴とする、遮音壁。
【発明の詳細な説明】
【技術分野】
【０００１】
この発明は、高速道路や一般道路あるいは鉄道などの側辺に沿って設置され、車両等の走行に伴う騒音を周辺部へ散乱させないように遮音して環境保全を図る遮音壁を構築する際に各遮音壁用パネルの落下防止用ワイヤロープを通して支持させる落下防止金具、および同落下防止金具を使用して落下防止用ワイヤロープを支持させ、各遮音壁用パネルの落下防止を図った遮音壁の技術分野に属する。
【背景技術】
【０００２】
従来、遮音壁を構築する各遮音壁用パネルに落下防止用ワイヤロープを取り付けて、車両等が衝突して遮音壁用パネルが支柱から外れることがあっても、その遮音壁用パネルが周辺へ落下、飛散して二次災害を発生することを回避する落下防止対策が一般的に実施されている。  
例えば下記の特許文献１には、リングを備えたいわゆるアイボルトを支柱および遮音パネルへ取り付けて、各々のアイボルトのリング部へ落下防止用ワイヤロープを順に縫うが如くに通した構成が開示されている。ただし、前記アイボルトを使用した場合には、いずれか一つの遮音パネルに交換の必要が生じた場合、落下防止用ワイヤロープは、該当する遮音壁用パネルのアイボルトから完全に抜け外れるまで上・下方向に引き抜く移動をさせねばならない。したがって、遮音壁を形成するべく一連に建て込まれた近隣の遮音壁用パネルや支柱のアイボルトからも完全に抜き外すことになり、遮音壁用パネルの交換作業が大掛かりなものになってしまい、手間と時間がかかる。勿論、遮音壁を設置する当初においても、各アイボルトのリング部へ落下防止用ワイヤロープを順序よく縫うが如くに通す必要があり、慎重な作業を必要とし、手間と時間がかかる。
【０００３】
その点、特許文献２に開示された外装板落下防止装置は、外装板や支柱に取り付ける張線具が、その先端部に線材を約１周に及ぶ角度湾曲させた止着環部を備えており、落下防止用ワイヤロープは前記止着環部へ横方向から捻り入れて環部へ通すことができる構成である。従って、落下防止用ワイヤロープは必要に応じて環部から捻るようにして抜き外すことができる構成であり、特許文献１のアイボルトに見られる問題点はない。
しかし、線材を湾曲させた構成すぎない止着環部は、強度、剛性に劣り、落下防止用ワイヤロープの用途、機能を完全に満たせるかの疑念がある。また、この外装板落下防止装置（止着環部）は、外装板（いわゆる背面側の遮音パネル）の背面側へ突き出るように取り付けて使用するものであり、これに通した落下防止用ワイヤロープの存在と併せて、遮音パネルの背面側が乱雑で見苦しい景観、意匠感を呈することになる。更にこの外装板落下防止装置は、外装板や支柱へ取り付けたボルトを基礎にして、その外端部に張線具を取り付け、さらにその止着環部へ落下防止用ワイヤロープを通す構成であり、いわゆる構成部品が多く、構造が複雑であるから、製造および使用に手間がかかり、高価なものである。
【０００４】
その他、特許文献３には、いわゆる手錠に似た形状と構成で、落下防止用ワイヤロープを通す環状部を開閉可能に構成した落下防止用ワイヤロープ通し具が開示されている。しかし、この通し具は、支柱間へ取り付けた前面の吸音パネルと背面の遮音パネルとで構成される遮音壁の狭い空間内で使用する際、吸音パネルと遮音パネルへ取り付ける作業が困難で、使い勝手が悪く、作業の手間が掛かるという問題点が指摘されている。
【０００５】
【特許文献１】特開２００２−３７１５２３号公報
【特許文献２】特開平１０−１９５８２８号公報
【特許文献３】特開２００７−１２６９３１号公報
【発明の開示】
【発明が解決しようとする課題】
【０００６】
本発明の目的は、構造が簡単で安価に製造でき、使い勝手に優れ、しかも落下防止用ワイヤロープを支持する働きに優れ、落下防止の用途、機能を十分に発揮する構成の落下防止金具、および同落下防止金具を使用して落下防止用ワイヤロープを支持させた遮音壁を提供することである。
【課題を解決するための手段】
【０００７】
上記した従来技術の課題を解決するための手段として、請求項１に記載した発明に係る遮音壁用パネルの落下防止用ワイヤロープの落下防止金具は、
一定の間隔を開けて建てられた支柱２０、２０間へ取り付けて設置された遮音壁用パネル２１又は２２の落下防止用ワイヤロープ２を通して支持させる落下防止金具であって、
落下防止金具１は、並立する複数の支持壁１１、１２と、前記支持壁１１、１２を繋ぐ着座壁１３とで形成され、
前記複数の支持壁１１、１２にはそれぞれ、ワイヤロープ通し孔１５から着座壁１３側に向かってワイヤロープ通し溝１６が形成され、前記ワイヤロープ通し溝１６は着座壁側に向かって開口されていると共に、複数の支持壁１１、１２のワイヤロープ通し溝１６は互い違いに異なる反対方向の向きに形成されており、
前記着座壁１３が、ボルト３で遮音壁用パネル２１又は２２へ取り付けられる構成であることを特徴とする。
【０００８】
請求項２に記載した発明は、請求項１に形成した遮音壁用パネルの落下防止用ワイヤロープの落下防止金具１において、
並立する支持壁１１、１２のワイヤロープ通し孔１５を着座壁１３側に向かって開口するワイヤロープ通し溝１６は、一側の溝辺１６ａがワイヤロープ通し孔１５の接線方向に着座壁１３まで形成され、他側の溝辺１６ｂは着座壁１３との間に落下防止用ワイヤロープ２の外径よりも少し大きい幅寸の出入り口１６ｃを形成するべく切除されていることを特徴とする。
請求項３に記載した発明は、請求項１又は２に記載した遮音壁用パネルの落下防止用ワイヤロープを通す落下防止金具１は、鋼板のプレス加工品であることを特徴とする。
【０００９】
請求項４に記載した発明に係る遮音壁は、
一定の間隔を開けて建てられた支柱２０、２０間へ取り付けて設置された遮音壁用パネル２１又は２２に、請求項１〜３に記載した構成の落下防止金具１が、一つの遮音壁用パネル２１又は２２に少なくとも１個の割合で、それぞれボルト３止めにより取り付けられており、上下・左右方向に連絡する配置の各落下防止金具１、１を順に縫うように各々のワイヤロープ通し孔１５へ落下防止用ワイヤロープ２が通されていることを特徴とする。
【発明の効果】
【００１０】
請求項１〜３に記載した発明に係る落下防止金具１は、鋼板のプレス加工法により安価に大量生産することに適する構成である。
この落下防止金具１は、その着座壁１３をボルト３止めにより遮音壁用パネル２１又は２２の必要位置へ簡単に取り付けることができる。そして、落下防止用ワイヤロープ２は並立する支持壁１１、１２のワイヤロープ通し溝１６を利用してワイヤロープ通し孔１５へ滑り込ませる形に通すことができ、勿論、逆の操作で抜き外すことも可能である。よって、遮音壁構築現場での使い勝手に優れる上に、遮音壁を構築する複数の遮音壁用パネルの中の１枚に交換の必要が生じた場合には、その遮音壁用パネルの落下防止金具１に通して支持させた落下防止用ワイヤロープ２を、当該落下防止金具１のワイヤロープ通し孔１５から抜き外して交換作業を進めることができる。そして、交換作業の終了後には再び、その遮音パネルの落下防止金具１のワイヤロープ通し孔１６へ通し直すことが容易に可能であるから、遮音壁用パネルの交換作業等に要する手間が極めて少なくて済む。即ち、故障のある遮音壁用パネルのみを単独で交換等することが容易に可能であり、極めて作業性に優れる。
もとより、仮に車両の衝突事故などで遮音壁を構成する遮音壁用パネル２１又は２２が支柱２０から突き飛ばされるような事態が生じても、落下防止金具１は並立する複数の支持壁１１、１２のワイヤロープ通し孔１５が共同して、即ちそれぞれのワイヤロープ通し溝１６が互い違いに異なる反対方向の向きに形成されている構成の故に、落下防止用ワイヤロープ２をきっちり拘束する機能と強度および作用効果を確実に働くので、遮音壁用パネル２１又は２２の落下防止の機能と目的は必要十分に達せられるのである。
【００１１】
したがって、上記の落下防止金具１を使用して構築される請求項４の発明に係る遮音壁は、遮音壁用パネルの設置および落下防止用ワイヤロープ２を通す作業性に優れて短工期化を図れるばかりでなく、爾後の車両の衝突事故等に対する遮音壁用パネルの落下防止機能に優れ、二次災害の発生を防ぐ機能、効果が高い。そして、破損等により遮音壁用パネルの交換等が必要になった場合には、その位置の如何を問わず、交換作業や保守、管理の容易性を発揮して、利便性に優れるのである。
【発明を実施するための最良の形態】
【００１２】
一定の間隔を開けて建てられた支柱２０、２０間へ取り付けて設置された遮音壁用パネル２１又は２２の落下防止用ワイヤロープ２を通して支持させる落下防止金具であって、
落下防止金具１は、並立する複数の支持壁１１、１２と、前記支持壁１１、１２を繋ぐ着座壁１３とで形成され、
前記複数の支持壁１１、１２にはそれぞれ、ワイヤロープ通し孔１５から着座壁１３側に向かってワイヤロープ通し溝１６が形成され、前記ワイヤロープ通し溝１６は着座壁側に向かって開口されていると共に、複数の支持壁１１、１２のワイヤロープ通し溝１６は互い違いに異なる反対方向の向きに形成されており、
前記着座壁１３が、ボルト３で遮音壁用パネル２１又は２２へ取り付けられる構成である。
【００１３】
上記構成の落下防止金具１を使用して遮音壁を構築する場合、一定の間隔を開けて建てられた支柱２０、２０間へ取り付けて設置された遮音壁用パネル２１又は２２に、前記の落下防止金具１を、一つの遮音壁用パネル２１又は２２に少なくとも１個の割合で、それぞれボルト３止めにより取り付け、上下・左右方向に連絡する配置の各落下防止金具１、１を順に縫うように各々のワイヤロープ通し孔１５へ落下防止用ワイヤロープ２を通した構成とする。
【実施例１】
【００１４】
以下に、先ず請求項１〜３に記載した発明の落下防止金具１を、図１および図２に示した実施例に基づいて説明する。
この落下防止金具１は、例えば厚さが３ｍｍ程度の鋼板をプレス加工法により製造した実施例である。本実施例の場合は、並立する二つの支持壁１１、１２はほぼ同形、同大に形成され、この二つの支持壁１１、１２を繋ぐ着座壁１３とで全体をほぼコ字形状に形成されている。もっとも、支持壁は二つの構成に限らない。
因みに、支持壁１１、１２の大きさは４８×５０ｍｍ程度、二つの支持壁１１、１２の内法間隔は２４ｍｍ程度である。前記着座壁１３には、ボルト止め用の孔１４が孔径６ｍｍ程度に形成されている。
【００１５】
並立する二つの支持壁１１、１２のほぼ中央で共通する位置に、落下防止用ワイヤロープ２を通すワイヤロープ通し孔１５が孔径２０ｍｍ程度の大きさに形成されている。そして、一方の支持壁１１には、そのワイヤロープ通し孔１５を着座壁１３の側に向かって開口させるワイヤロープ通し溝１６が、落下防止用ワイヤロープ２の外径よりも少し大きい幅寸（一例として９ｍｍ）で、図２Ａの斜め上向き４５度方向に切り欠き形状に形成されている。このワイヤロープ通し溝１６は、一側（奥側）の溝辺１６ａがワイヤロープ通し孔１５の接線方向に着座壁１６まで約４５度方向に直線的に形成され、他側の溝辺１６ｂは、着座壁１３の内側面との間に落下防止用ワイヤロープ２の外径よりも少し大きい幅寸（約９ｍｍ）の出入り口１６ｃを形成するように短く切除されている。
【００１６】
他方の支持壁１２にも全く同様に、ワイヤロープ通し孔１５を着座壁１３の側に向かって開口させるワイヤロープ通し溝１６が、落下防止用ワイヤロープ２の外径よりも少し大きい幅寸で形成されているが、このワイヤロープ通し溝１６は上記した一方の支持壁１１に形成したワイヤロープ通し溝１６とは互い違いに約９０度異なる反対方向の向き（図２Ａの斜め下向き４５度方向）に形成されている。このワイヤロープ通し溝１６の場合も、一側の溝辺１６ａはワイヤロープ通し孔１５の接線方向に着座壁１６まで約４５度方向に直線的に形成され、他側の溝辺１６ｂは、着座壁１３の内側面との間に落下防止用ワイヤロープ２の外径よりも少し大きい幅寸（約９ｍｍ）の出入り口１６ｃを形成するように短く切除されている。
なお、図２Ａに明りょうな傾斜部１７は、後述するように落下防止用ワイヤロープ２をワイヤロープ通し溝１６へ入れ込む作業（操作）を容易にするワイヤロープ誘導部である。
【００１７】
上記構成の落下防止金具１は、その使用に際しては、着座壁１３を、その孔１４へ通したボルト３で後述する遮音壁用パネル（吸音パネル２１又は遮音パネル２２）の所望位置へ取り付けて強固に固定する。具体的に言えば、吸音パネル２１に対しては図６に例示したように、パネル上辺の横桟部分へ取り付け、遮音パネル２２に対しては図７に例示したように中間の膨らみ部へ取り付けるのが好ましい。前記のように取り付けた上で、落下防止用ワイヤロープ２は、並立する一方の支持壁１１の出入り口１６ｃから入れてワイヤロープ通し溝１６を滑らせワイヤロープ通し孔１５へ入れ込む。そして、他方の支持壁１２のワイヤロープ通し孔１５へも、コ字形の離間部を利用して曲げた上で、やはり出入り口１６ｃから入れワイヤロープ通し溝１６を滑らせてワイヤロープ通し孔１５へ入れ込む。かくすると、二つの支持壁１１、１２のワイヤロープ通し溝１６が互い違いに異なる反対方向に形成された形状効果の故に、図１のように二つのワイヤロープ通し孔１５、１５へ通した落下防止用ワイヤロープ２は、そのほぼ全周をがっちり拘束された状態になり、横方向へは抜けない状態に確実に支持される。つまり、落下防止用ワイヤロープ２は、人手による上記の操作を経る以外には、二つの支持壁１１、１２のワイヤロープ通し孔１５、１５へ貫通状態に通すこと、又は逆にワイヤロープ通し孔１５、１５から抜き外すことはできないのである。
したがって、後述する遮音壁に車両等が衝突して遮音壁用パネルが落下することは落下防止用ワイヤロープ２と落下防止金具１の働きによって確実に防止されるのであり、落下防止の作用効果は十分に高いのである。
【実施例２】
【００１８】
次に、図３〜図７に示した実施例に基づいて、上記構成の落下防止金具１を使用して構築し設置する、請求項４記載の発明に係る遮音壁を説明する。
図示した遮音壁は、例えば高速道路などの側辺に沿って例えば３ｍ前後の間隔を開けて建てられたＨ鋼支柱２０、２０の間へ、遮音壁用パネルとして、前面（つまり車道側）には吸音パネル２１を取り付け、背面（民地側）に遮音パネル２２を取り付けた構成の実施例である。
Ｈ鋼支柱２０に対して吸音パネル２１および遮音パネル２２を取り付ける構造および作業の詳細については、既に種々公知、周知に属する技術であるから、ここで詳しく説明することは省略する。たとえば図４に見るようなボルト止め２３が一般的に実施されている。吸音パネル２１及び遮音パネル２２は、Ｈ鋼支柱２０の高さ方向に必要な枚数を順次積み重ねて取り付けられる。
【００１９】
上記した吸音パネル２１及び遮音パネル２２をＨ鋼支柱２０へ取り付けて遮音壁を構築する作業に際し、同時並行の作業として、図３および図４に示す遮音壁（Ｈ鋼支柱２０の前面に吸音パネル２１を取り付け、背面に遮音パネル２２を取り付けた構成）の場合には、吸音パネル２１及び遮音パネル２２それぞれの内側面（Ｈ鋼支柱２０と対面する面）であって、上下方向にほぼ共通する位置、具体的に言えば、図３および図４に示すように、落下防止用ワイヤロープ２を上下方向に一連に通すべき位置に沿った配置に、上記構成の落下防止金具１が、例えば図６および図７に示したように取り付けられる。即ち、落下防止金具１の並立する支持壁２１、２２を水平方向の向きとし、吸音パネル２１および遮音パネル２２のそれぞれに少なくとも１個づつの割合（但し、図４のようにパネルの両端部に取り付ける場合は合計２個ずつとなる。）で、且つ上下方向に適度な間隔を開けた互い違いの配置（図３を参照）で、それぞれボルト３とナット４を使用して着座壁１３を取り付け固定する。
その上で、上下方向に連絡する配置とした各落下防止金具１、１を順に縫うように、各々の各ワイヤロープ通し孔１５へ落下防止用ワイヤロープ２を通して遮音壁の構築が進められる。
【００２０】
本発明の落下防止金具１およびこれを使用して構築した遮音壁の場合は、落下防止用ワイヤロープ２を落下防止金具１のワイヤロープ通し孔１５へ通す作業において、落下防止用ワイヤロープ２に適度な弛みを設けておけば（通例の遮音壁では、落下防止用ワイヤロープ２の切断事故防止の観点で、適度な弛みが設けられている。）、その緩みを利用することにより、落下防止用ワイヤロープ２を落下防止金具１のワイヤロープ通し孔１５へ通すこと、又は逆に抜き外すことが容易に可能である。したがって、遮音壁を構築する作業手順において、落下防止用ワイヤロープ２を落下防止金具１のワイヤロープ通し孔１５へ通す作業工程の順序に自由度が得られ、作業性に優れる。もとより、爾後的に車両の衝突事故等のため、いずれかの吸音パネル２１又は遮音パネル２２を交換する等の保守、交換作業に際しても、当該パネルの落下防止金具１のワイヤロープ通し孔１５から落下防止用ワイヤロープ２を抜き外して、交換作業を局部的に効率よく簡単に行うことができる。
【００２１】
以上に本発明を図示した実施例に基づいて説明したが、勿論、本発明は図示した実施例に限定されるものではない。本発明の要旨を逸脱しない範囲で、いわゆる当業者が必要に応じて行う設計変更等を含め、更に多様に実施することができる。
【図面の簡単な説明】
【００２２】
【図１】本発明に係る落下防止金具を示した斜視である。
【図２】Ａ〜Ｃは上記落下防止金具の正面図と平面図および右側面図である。
【図３】上記落下防止金具を使用して構築した遮音壁の垂直断面図である。
【図４】上記落下防止金具を使用して構築した遮音壁の水平断面図である。
【図５】上記遮音壁を構成する要素を分解して示した斜視図である。
【図６】上記遮音壁を構成する吸音パネルとＨ鋼支柱を示した斜視図である。
【図７】上記遮音壁を構成する遮音パネルとＨ鋼支柱を示した斜視図である。
【符号の説明】
【００２３】
２０    支柱
２１    吸音パネル
２２    遮音パネル
２      落下防止用ワイヤロープ
１      落下防止金具
１１、１２  支持壁
１３    着座壁
１４    ボルト止め用の孔
１５    ワイヤロープ通し用孔
１６    ワイヤロープ通し溝
３      ボルト
１６ｃ  出入り口  
１６ａ、１６ｂ  ワイヤロープ通し溝の溝辺
【図１】
0004914325.tif 000002
【図２】
0004914325.tif 000003
【図３】
0004914325.tif 000004
【図４】
0004914325.tif 000005
【図５】
0004914325.tif 000006
【図６】
0004914325.tif 000007
【図７】
0004914325.tif 000008